【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
第一の電極層；
第一の電極層に近接しているセパレーター層、このセパレーター層はそれ自体の上に第一の方向に折り返されることにより第一のセパレーター部分、第二のセパレーター部分およびそれらのセパレーター部分の間の開口を形成している；および
第二の電極プレート、挿入された第二の電極プレートは第一のセパレーター部分と第二のセパレーター部分の間にある；
を含む電気化学電池であって、
第一の電極層はセパレーター層の上に第一の方向に対して直交する第二の方向に折り重ねられ、それにより第一のセパレーター部分の下にある最初の第一の電極部分と、第二のセパレーター部分の上にある二つ目の第一の電極部分が形成されている、前記電気化学電池。
【請求項２】
電気化学電池は第一の電極部分、セパレーター部分およびプレートのそれぞれを二つよりも多く有する、請求項１に記載の電気化学電池。
【請求項３】
プレートは電極活物質で被覆されていない部分を含む、請求項１に記載の電気化学電池。
【請求項４】
電気化学電池を形成する方法であって、この方法は次の各工程：
第一の電極層の第一の部分の上にセパレーター層をその第一の電極層に対して直交する方向に配置する工程；
セパレーター層をそれ自体の上に折り返すことにより、第一のセパレーター部分、第二のセパレーター部分およびそれらのセパレーター部分の間の第一の開口を形成する工程；
第一の電極層を第二のセパレーター部分の上に折り重ねることにより、第一のセパレーター部分の下にある最初の第一の電極部分と、第二のセパレーター部分の上にある二つ目の第一の電極部分を形成する工程；および
第二の電極材料を含む第一のプレートを開口の中に配置する工程；
を含む、前記方法。
【請求項５】
第一の電極部分、セパレーター部分およびプレートのそれぞれを二つよりも多く有する電気化学電池を形成することをさらに含む、請求項４に記載の方法。
【請求項６】
第一のプレートを配置する工程は、第二のセパレーター部分の上に第一の電極層を折り重ねる工程の前に行われる、請求項４に記載の方法。
【請求項７】
第一の電極層の折り曲げた部分を介して第一の電極層への接点を形成する工程をさらに含む、請求項４に記載の方法。
【請求項８】
プレート上の接点の領域の上に第二の電極層への接点を形成する工程をさらに含む、請求項４に記載の方法。
【請求項９】
第一の電極層の折り曲げた部分を切断して縁の部分を形成し、そして第一の電極層への接点を形成する工程をさらに含む、請求項４に記載の方法。
【請求項１０】
最初の電極部分を含む第一の電極層；
第一の電極層の上にある第二の電極層、この第二の電極層は第一の表面と活物質を含む第二の表面を有する；および
第二の表面の上に部分的に存在するセパレーター層；
を含む電気化学電池であって、
第二の電極層とセパレーター層の組み合わせがそれ自体の上に第一の方向に折り返されていて、第一の電極層は組み合わせの上に第二の方向に折り重ねられて、それにより二つ目の第一の電極部分が形成されていて、そして第一の方向と第二の方向は互いに直交している、前記電気化学電池。
【請求項１１】
第一の電極部分、第二の電極部分およびセパレーター部分のそれぞれを二つよりも多く有する、請求項１０に記載の電気化学電池。
【請求項１２】
第二の表面は活物質で断続的に被覆されている、請求項１０に記載の電気化学電池。
【請求項１３】
第二の電極層は接点の領域を含む、請求項１０に記載の電気化学電池。
【請求項１４】
第一の電極層は最上面と底面において活物質を含む、請求項１０に記載の電気化学電池。
【請求項１５】
電気化学電池の底部においてセパレーター層の部分を有する、請求項１０に記載の電気化学電池。
【請求項１６】
電気化学電池の最上部においてセパレーター層の部分を有する、請求項１０に記載の電気化学電池。
【請求項１７】
電気化学電池を形成する方法であって、この方法は次の各工程：
第一の電極層の最初の第一の電極部分の上に第二の電極層とセパレーター層の組み合わせを配置する工程；
組み合わせをそれ自体の上に折り返して、第一の組み合わせの部分と第二の組み合わせの部分を形成する工程；および
第二の組み合わせの部分の上に第一の電極層を折り重ね、それにより第二の組み合わせの部分の上に二つ目の第一の電極部分を形成する工程；
を含む、前記方法。
【請求項１８】
第一の電極部分および組み合わせの部分のそれぞれを二つよりも多く有する電気化学電池を形成することをさらに含む、請求項１７に記載の方法。
【請求項１９】
配置する工程は、基材とこの基材上の断続する電極活物質の部分とを含む第二の電極層を設けることを含む、請求項１７に記載の方法。
【請求項２０】
配置する工程は、一つ以上の接点の領域を有する基材を含む第二の電極層を設けることを含む、請求項１７に記載の方法。
【請求項２１】
第一の電極層の折り曲げた部分を介して第一の電極層への接点を形成する工程をさらに含む、請求項１７に記載の方法。
【請求項２２】
第一の電極層の折り曲げた部分を切断して縁の部分を形成する工程と、第一の電極層への接点を形成する工程をさらに含む、請求項１７に記載の方法。
【請求項２３】
第一の電極層；
第一の電極層の上にある第二の電極層、この第二の電極層は活物質を含む第一の表面と活物質を含む第二の表面を有する；
第一の表面の上に部分的に存在する第一のセパレーター層；および
第二の表面の上に部分的に存在する第二のセパレーター層；
を含む電気化学電池であって、
第一のセパレーター層と第二の電極層と第二のセパレーター層の組み合わせが最初の第一の電極部分の上にあり、そして
第一の電極層を組み合わせの上に直交して折り曲げることによって二つ目の第一の電極部分が形成されている、前記電気化学電池。
【請求項２４】
第一の電極層はカソード活物質を含み、そして第二の電極層はアノード活物質を含む、請求項２３に記載の電気化学電池。
【請求項２５】
第一の電極層はアノード活物質を含み、そして第二の電極層はカソード活物質を含む、請求項２３に記載の電気化学電池。
【請求項２６】
第一の電極部分、第二の電極部分およびセパレーター部分のそれぞれを二つよりも多く有する、請求項２３に記載の電気化学電池。
【請求項２７】
第一の表面は活物質で部分的に被覆されている、請求項２３に記載の電気化学電池。
【請求項２８】
第二の表面は活物質で部分的に被覆されている、請求項２３に記載の電気化学電池。
【請求項２９】
電気化学電池の底部の層はセパレーター材料を含む、請求項２３に記載の電気化学電池。
【請求項３０】
電気化学電池の最上部の層はセパレーター材料を含む、請求項２３に記載の電気化学電池。
【請求項３１】
第二の電極層は一つ以上の接点の領域を含む、請求項２３に記載の電気化学電池。
【請求項３２】
電気化学電池を形成する方法であって、この方法は次の各工程：
第一の電極層の最初の第一の電極部分の上に第一のセパレーター層、活物質及び第二の表面を含む第一の表面を含む第二の電極層、および第二のセパレーター層の組み合わせを、第一の電極層に対して直交する方向に配置する工程、ここで、第一のセパレーター層は第一の表面の上に部分的に存在しそして第二のセパレーター層は第二の表面の上に部分的に存在する；および
組み合わせの上に第一の電極層を組み合わせに対して直交する方向に折り重ねる工程；
を含む、前記方法。
【請求項３３】
第一の電極部分および組み合わせの部分のそれぞれを二つよりも多く有する電気化学電池を形成することを含む、請求項３２に記載の方法。
【請求項３４】
最初の第一の電極部分の下にセパレーター部分を設ける工程をさらに含む、請求項３２に記載の方法。
【請求項３５】
電気化学電池の最上部においてセパレーター部分を設ける工程をさらに含む、請求項３２に記載の方法。
【請求項３６】
第一の電極層への接点を形成する工程をさらに含む、請求項３２に記載の方法。
【請求項３７】
第二の電極層への接点を形成する工程をさらに含む、請求項３２に記載の方法。
【請求項３８】
第一の電極層の折り曲げた部分を切断して縁の部分を形成する工程と、第一の電極層への接点を形成する工程をさらに含む、請求項３２に記載の方法。
【請求項３９】
請求項１に記載の電気化学電池を含むバッテリー。
【請求項４０】
請求項１０に記載の電気化学電池を含むバッテリー。
【請求項４１】
請求項２３に記載の電気化学電池を含むバッテリー。
【請求項４２】
請求項４に記載の方法を含む、バッテリーを形成する方法。
【請求項４３】
請求項１７に記載の方法を含む、バッテリーを形成する方法。
【請求項４４】
請求項３２に記載の方法を含む、バッテリーを形成する方法。
【手続補正２】
【補正対象書類名】明細書
【補正対象項目名】００７１
【補正方法】変更
【補正の内容】
【００７１】
１００  電気化学電池、  １０２  第一の電極層、  １０４  セパレーター層、  １０６  第二の電極プレート、  １０８  第一のセパレーターの部分、  １１０  第二のセパレーターの部分、  １１２  開口、  １１４  第一の電極の部分、  １１６、１２０  折り目（折り曲げた領域）、  １１８  接点の領域を覆う領域、  １２２  接点の領域、  ３００  電気化学電池を形成するための典型的な方法、  ４００  電気化学電池、  ４０２  第一の電極層、  ４０４  セパレーター層、  ４０６  第二の電極層、  ４０８  最初の第一の電極の部分、  ４１０  第二の電極層とセパレーター層の組み合わせ、  ４１２  基材、  ４１４  活物質、  ４１６  接点の領域、  ４１８  折り返し線、  ４２０  延長した領域、  ７００  電気化学電池を形成するための典型的な方法、  ８００  電気化学電池、  ８０２  第一の電極層、  ８０４  第一のセパレーター層、  ８０６  第二の電極層、  ８０８  第二のセパレーター層、  ８１０  最初の第一の電極部分、  ８１２  第一のセパレーター層と第二の電極層と第二のセパレーター層の組合せ、  ８１４  電極層の第二の部分、  ８１６  セパレーター層が第二の電極層に重なっていない領域、  ８１８  電極活物質、  ８２０  接点の領域、  １１００  電気化学電池を形成するための典型的な方法、  １２００  電気化学電池、  １２０２  第一の電極層、  １２０４  セパレーター層、  １２０６  第二の電極層、  １２０８、１２１０  折り返し線、  １２１２、１２１４  接点の領域、  １５００  電気化学電池を形成するための典型的な方法。
以下に、出願時の特許請求の範囲の内容を記載する。
［請求項１］
第一の電極層；
第一の電極層に近接しているセパレーター層、このセパレーター層はそれ自体の上に第一の方向に折り返されることにより第一のセパレーター部分、第二のセパレーター部分およびそれらのセパレーター部分の間の開口を形成している；および
第二の電極プレート、このプレートは第一のセパレーター部分と第二のセパレーター部分の間にある；
を含む電気化学電池であって、
第一の電極層はセパレーター層の上に第一の方向に対して直交する第二の方向に折り重ねられ、それにより第一のセパレーター部分の下にある最初の第一の電極部分と、第二のセパレーター部分の上にある二つ目の第一の電極部分が形成されている、前記電気化学電池。
［請求項２］
第一の電極層はカソード活物質を含み、そして第二の電極はアノード活物質を含む、請求項１に記載の電気化学電池。
［請求項３］
第一の電極層はアノード活物質を含み、そして第二の電極はカソード活物質を含む、請求項１に記載の電気化学電池。
［請求項４］
電気化学電池は第一の電極部分、セパレーター部分およびプレートのそれぞれを二つよりも多く有する、請求項１に記載の電気化学電池。
［請求項５］
プレートは電極活物質で被覆されていない部分を含む、請求項１に記載の電気化学電池。
［請求項６］
電気化学電池を形成する方法であって、この方法は次の各工程：
第一の電極層の第一の部分の上にセパレーター層をその第一の電極層に対して直交する方向に配置する工程；
セパレーター層をそれ自体の上に折り返すことにより、第一のセパレーター部分、第二のセパレーター部分およびそれらのセパレーター部分の間の第一の開口を形成する工程；
第一の電極層を第二のセパレーター部分の上に折り重ねることにより、第一のセパレーター部分の下にある最初の第一の電極部分と、第二のセパレーター部分の上にある二つ目の第一の電極部分を形成する工程；および
第二の電極材料を含む第一のシートを開口の中に配置する工程；
を含む、前記方法。
［請求項７］
第一の電極部分、セパレーター部分およびプレートのそれぞれを二つよりも多く有する電気化学電池を形成することをさらに含む、請求項６に記載の方法。
［請求項８］
第一のシートを配置する工程は、第二のセパレーター部分の上に第一の電極層を折り重ねる工程の前に行われる、請求項６に記載の方法。
［請求項９］
第一のシートを配置する工程は、第二のセパレーター部分の上に第一の電極層を折り重ねる工程の後に行われる、請求項６に記載の方法。
［請求項１０］
最初の第一の電極部分の下にセパレーター部分を設ける工程をさらに含む、請求項６に記載の方法。
［請求項１１］
電気化学電池の最上部にセパレーター部分を設ける工程をさらに含む、請求項６に記載の方法。
［請求項１２］
第一の電極層の折り曲げた部分を介して第一の電極層への接点を形成する工程をさらに含む、請求項６に記載の方法。
［請求項１３］
プレート上の接点の領域の上に第二の電極層への接点を形成する工程をさらに含む、請求項６に記載の方法。
［請求項１４］
第一の電極層の折り曲げた部分を切断して縁の部分を形成し、そして第一の電極層への接点を形成する工程をさらに含む、請求項６に記載の方法。
［請求項１５］
最初の電極部分を含む第一の電極層；
第一の電極層の上にある第二の電極層、この第二の電極層は第一の表面と活物質を含む第二の表面を有する；および
第二の表面の上に部分的に存在するセパレーター層；
を含む電気化学電池であって、
第二の電極層とセパレーター層の組み合わせがそれ自体の上に第一の方向に折り返されていて、第一の電極層は組み合わせの上に第二の方向に折り重ねられて、それにより二つ目の第一の電極部分が形成されていて、そして第一の方向と第二の方向は互いに直交している、前記電気化学電池。
［請求項１６］
第一の電極部分、第二の電極部分およびセパレーター部分のそれぞれを二つよりも多く有する、請求項１５に記載の電気化学電池。
［請求項１７］
第二の表面は活物質で断続的に被覆されている、請求項１５に記載の電気化学電池。
［請求項１８］
第二の電極層は接点の領域を含む、請求項１５に記載の電気化学電池。
［請求項１９］
第一の電極層は最上面と底面において活物質を含む、請求項１５に記載の電気化学電池。
［請求項２０］
電気化学電池の底部においてセパレーター層の部分を有する、請求項１５に記載の電気化学電池。
［請求項２１］
電気化学電池の最上部においてセパレーター層の部分を有する、請求項１５に記載の電気化学電池。
［請求項２２］
電気化学電池を形成する方法であって、この方法は次の各工程：
第一の電極層の最初の第一の電極部分の上に第二の電極層とセパレーター層の組み合わせを配置する工程；
組み合わせをそれ自体の上に折り返して、第一の組み合わせの部分と第二の組み合わせの部分を形成する工程；および
第二の組み合わせの部分の上に第一の電極層を折り重ね、それにより第二の組み合わせの部分の上に二つ目の第一の電極部分を形成する工程；
を含む、前記方法。
［請求項２３］
第一の電極部分および組み合わせの部分のそれぞれを二つよりも多く有する電気化学電池を形成することをさらに含む、請求項２２に記載の方法。
［請求項２４］
電気化学電池の底部においてセパレーター材料を設ける工程をさらに含む、請求項２２に記載の方法。
［請求項２５］
電気化学電池の最上部においてセパレーター材料を設ける工程をさらに含む、請求項２２に記載の方法。
［請求項２６］
配置する工程は、基材とこの基材上の断続する電極活物質の部分とを含む第二の電極層を設けることを含む、請求項２２に記載の方法。
［請求項２７］
配置する工程は、一つ以上の接点の領域を有する基材を含む第二の電極層を設けることを含む、請求項２２に記載の方法。
［請求項２８］
第二の電極層への接点を形成する工程をさらに含む、請求項２２に記載の方法。
［請求項２９］
第一の電極層への接点を形成する工程をさらに含む、請求項２２に記載の方法。
［請求項３０］
第一の電極層の折り曲げた部分を介して第一の電極層への接点を形成する工程をさらに含む、請求項２２に記載の方法。
［請求項３１］
第一の電極層の折り曲げた部分を切断して縁の部分を形成する工程と、第一の電極層への接点を形成する工程をさらに含む、請求項２２に記載の方法。
［請求項３２］
第一の電極層；
第一の電極層の上にある第二の電極層、この第二の電極層は活物質を含む第一の表面と活物質を含む第二の表面を有する；
第一の表面の上に部分的に存在する第一のセパレーター層；および
第二の表面の上に部分的に存在する第二のセパレーター層；
を含む電気化学電池であって、
第一のセパレーター層と第二の電極層と第二のセパレーター層の組み合わせが最初の第一の電極部分の上にあり、そして
第一の電極層を組み合わせの上に直交して折り曲げることによって二つ目の第一の電極部分が形成されている、前記電気化学電池。
［請求項３３］
第一の電極層はカソード活物質を含み、そして第二の電極層はアノード活物質を含む、請求項３２に記載の電気化学電池。
［請求項３４］
第一の電極層はアノード活物質を含み、そして第二の電極層はカソード活物質を含む、請求項３２に記載の電気化学電池。
［請求項３５］
第一の電極部分、第二の電極部分およびセパレーター部分のそれぞれを二つよりも多く有する、請求項３２に記載の電気化学電池。
［請求項３６］
第一の表面は活物質で部分的に被覆されている、請求項３２に記載の電気化学電池。
［請求項３７］
第二の表面は活物質で部分的に被覆されている、請求項３２に記載の電気化学電池。
［請求項３８］
電気化学電池の底部の層はセパレーター材料を含む、請求項３２に記載の電気化学電池。
［請求項３９］
電気化学電池の最上部の層はセパレーター材料を含む、請求項３２に記載の電気化学電池。
［請求項４０］
第二の電極層は一つ以上の接点の領域を含む、請求項３２に記載の電気化学電池。
［請求項４１］
電気化学電池を形成する方法であって、この方法は次の各工程：
第一の電極層の最初の第一の電極部分の上に第一のセパレーター層、第二の電極層、および第二のセパレーター層の組み合わせを、第一の電極層に対して直交する方向に配置する工程；および
組み合わせの上に第一の電極層を組み合わせに対して直交する方向に折り重ねる工程；
を含む、前記方法。
［請求項４２］
第一の電極部分および組み合わせの部分のそれぞれを二つよりも多く有する電気化学電池を形成することを含む、請求項４１に記載の方法。
［請求項４３］
最初の第一の電極部分の下にセパレーター部分を設ける工程をさらに含む、請求項４１に記載の方法。
［請求項４４］
電気化学電池の最上部においてセパレーター部分を設ける工程をさらに含む、請求項４１に記載の方法。
［請求項４５］
第一の電極層への接点を形成する工程をさらに含む、請求項４１に記載の方法。
［請求項４６］
第二の電極層への接点を形成する工程をさらに含む、請求項４１に記載の方法。
［請求項４７］
第一の電極層の折り曲げた部分を切断して縁の部分を形成する工程と、第一の電極層への接点を形成する工程をさらに含む、請求項４１に記載の方法。
［請求項４８］
請求項１に記載の電気化学電池を含むバッテリー。
［請求項４９］
請求項１５に記載の電気化学電池を含むバッテリー。
［請求項５０］
請求項３２に記載の電気化学電池を含むバッテリー。
［請求項５１］
請求項６に記載の方法を含む、バッテリーを形成する方法。
［請求項５２］
請求項２２に記載の方法を含む、バッテリーを形成する方法。
［請求項５３］
請求項４１に記載の方法を含む、バッテリーを形成する方法。